(57)【要約】【課題】開発対象のシステム固有の仕様を表現する際に、複数のシステム間で共通する仕様とは異なる手法で表現し、かつそれらの仕様を用いてシステムの仕様を容易に定めることができるオブジェクト指向モデル生成装置、オブジェクト指向モデル生成方法およびオブジェクト指向モデル生成プログラムを提供する。【解決手段】開発対象のシステムの基準となる仕様を与える基準設計情報と、該基準設計情報と異なる手法によって作成され、システムの仕様のうち基準となる仕様との差分に相当する仕様を与える差分設計情報とに基づいて、システムの設計情報を自動的に生成する設計情報生成部を備える。【選択図】図１
2016197291.tif 000002
【特許請求の範囲】
【請求項１】
オブジェクト指向のモデルを生成するオブジェクト指向モデル生成装置であって、
開発対象のシステムの基準となる仕様を与える基準設計情報と、該基準設計情報と異なる手法によって作成され、前記システムの仕様のうち前記基準となる仕様との差分に相当する仕様を与える差分設計情報とに基づいて、前記システムの設計情報を自動的に生成する設計情報生成部を備えたことを特徴とするオブジェクト指向モデル生成装置。
【請求項２】
前記基準設計情報および前記設計情報は、統一モデリング言語のモデル図を含むことを特徴とする請求項１に記載のオブジェクト指向モデル生成装置。
【請求項３】
前記差分設計情報は、ドメイン特化言語のコードを含むことを特徴とする請求項１または２に記載のオブジェクト指向モデル生成装置。
【請求項４】
情報の入力を受け付ける入力部と、
前記入力部が受け付けた情報に基づいて前記基準設計情報を作成する基準設計情報作成部と、
前記入力部が受け付けた情報に基づいて前記差分設計情報を作成する差分設計情報作成部と、
をさらに備えたことを特徴とする請求項１〜３のいずれか一項に記載のオブジェクト指向モデル生成装置。
【請求項５】
オブジェクト指向のモデルを生成するオブジェクト指向モデル生成装置が行うオブジェクト指向モデル生成方法であって、
開発対象のシステムの基準となる仕様を与える基準設計情報と、該基準設計情報と異なる手法によって作成され、前記システムの仕様のうち前記基準となる仕様との差分に相当する仕様を与える差分設計情報とを記憶する記憶部から前記基準設計情報および前記差分設計情報を読み出し、前記システムの設計情報を自動的に生成する設計情報生成ステップ
を有することを特徴とするオブジェクト指向モデル生成方法。
【請求項６】
オブジェクト指向のモデルを生成するオブジェクト指向モデル生成装置に、
開発対象のシステムの基準となる仕様を与える基準設計情報と、該基準設計情報と異なる手法によって作成され、前記システムの仕様のうち前記基準となる仕様との差分に相当する仕様を与える差分設計情報とを記憶する記憶部から前記基準設計情報および前記差分設計情報を読み出し、前記システムの設計情報を自動的に生成する設計情報生成ステップ
を実行させることを特徴とするオブジェクト指向モデル生成プログラム。
【発明の詳細な説明】
【技術分野】
【０００１】
本発明は、オブジェクト指向のモデルを生成するオブジェクト指向モデル生成装置、オブジェクト指向モデル生成方法およびオブジェクト指向モデル生成プログラムに関する。
【背景技術】
【０００２】
統一モデリング言語であるＵＭＬ（Unified  Modeling  Language）は、ソフトウェア工学におけるオブジェクトモデリングのために標準化された仕様記述言語である。また、ＵＭＬはグラフィカルな記述で抽象化したシステムのモデルを生成する汎用モデリング言語でもある。ＵＭＬを用いたオブジェクトモデリングでは、開発対象のシステムの分析や設計を行う際に、さまざまなモデル図（以下、ＵＭＬモデル図という）が作成される。
【０００３】
ＵＭＬモデル図は、システムの静的な構造を示す構造図と、システムの振る舞いを示す振る舞い図とに大別される。このうち、構造図には、例えば配置図、コンポーネント図、クラス図、オブジェクト図などがある。また、振る舞い図には、例えばユースケース図、ステートマシン図（ステートチャート図または状態遷移図ともいう）、シーケンス図、コミュニケーション図（コラボレーション図ともいう）、アクティビティ図、タイミング図、相互作用概要図などがある。
【０００４】
オブジェクト指向開発においては、市販のＵＭＬモデリングツールを用いてＵＭＬモデル図を作成することが行われている。このため、システムの仕様の変更が生じた場合には、ユーザがＵＭＬモデリングツールを用いてＵＭＬモデル図を直接変更する必要がある。例えば、ユーザが入力した操作情報に応じたモデル要素の変更が行われたか否かに基づいてモデル変換を行う技術が開示されている（例えば、特許文献１を参照）。この技術では、上流工程で作成するモデル要素と、上流工程のモデル要素に応じて下流工程で作成するモデル要素を比較して統合することによってモデルを更新する。
【先行技術文献】
【特許文献】
【０００５】
【特許文献１】特開２０１０−６１５４３号公報
【発明の概要】
【発明が解決しようとする課題】
【０００６】
上述した特許文献１に記載の技術において、一般に上流工程のモデル要素は、複数のシステム（製品）間で共通する仕様を表現することが多いのに対し、下流工程のモデル要素は、システム固有の仕様を表現することが多い。しかしながら、上述した特許文献１に記載の技術では、下流工程のモデル要素を上流工程のモデル要素に応じて作成しなければならなかった。
【０００７】
このような状況の下、システム固有の仕様を表現する際に、複数のシステム間で共通する仕様とは異なる手法で表現し、かつそれらの仕様を用いてシステムの仕様を容易に定めることができる技術が求められていた。
【０００８】
本発明は、上記に鑑みてなされたものであって、開発対象のシステム固有の仕様を表現する際に、複数のシステム間で共通する仕様とは異なる手法で表現し、かつそれらの仕様を用いてシステムの仕様を容易に定めることができるオブジェクト指向モデル生成装置、オブジェクト指向モデル生成方法およびオブジェクト指向モデル生成プログラムを提供することを目的とする。
【課題を解決するための手段】
【０００９】
上述した課題を解決し、目的を達成するために、本発明に係るオブジェクト指向モデル生成装置は、オブジェクト指向のモデルを生成するオブジェクト指向モデル生成装置であって、開発対象のシステムの基準となる仕様を与える基準設計情報と、該基準設計情報と異なる手法によって作成され、前記システムの仕様のうち前記基準となる仕様との差分に相当する仕様を与える差分設計情報とに基づいて、前記システムの設計情報を自動的に生成する設計情報生成部を備えたことを特徴とする。
【００１０】
本発明に係るオブジェクト指向モデル生成装置は、上記発明において、前記基準設計情報および前記設計情報は、統一モデリング言語のモデル図を含むことを特徴とする。
【００１１】
本発明に係るオブジェクト指向モデル生成装置は、上記発明において、前記差分設計情報は、ドメイン特化言語のコードを含むことを特徴とする。
【００１２】
本発明に係るオブジェクト指向モデル生成装置は、上記発明において、情報の入力を受け付ける入力部と、前記入力部が受け付けた情報に基づいて前記基準設計情報を作成する基準設計情報作成部と、前記入力部が受け付けた情報に基づいて前記差分設計情報を作成する差分設計情報作成部と、をさらに備えたことを特徴とする。
【００１３】
本発明に係るオブジェクト指向モデル生成方法は、オブジェクト指向のモデルを生成するオブジェクト指向モデル生成装置が行うオブジェクト指向モデル生成方法であって、開発対象のシステムの基準となる仕様を与える基準設計情報と、該基準設計情報と異なる手法によって作成され、前記システムの仕様のうち前記基準となる仕様との差分に相当する仕様を与える差分設計情報とを記憶する記憶部から前記基準設計情報および前記差分設計情報を読み出し、前記システムの設計情報を自動的に生成する設計情報生成ステップを有することを特徴とする。
【００１４】
本発明に係るオブジェクト指向モデル生成プログラムは、オブジェクト指向のモデルを生成するオブジェクト指向モデル生成装置に、開発対象のシステムの基準となる仕様を与える基準設計情報と、該基準設計情報と異なる手法によって作成され、前記システムの仕様のうち前記基準となる仕様との差分に相当する仕様を与える差分設計情報とを記憶する記憶部から前記基準設計情報および前記差分設計情報を読み出し、前記システムの設計情報を自動的に生成する設計情報生成ステップを実行させることを特徴とする。
【発明の効果】
【００１５】
本発明によれば、開発対象のシステム固有の仕様を表現する際に、複数のシステム間で共通する仕様とは異なる手法で表現し、かつそれらの仕様を用いてシステムの仕様を容易に定めることができる。
【図面の簡単な説明】
【００１６】
【図１】図１は、本発明の一実施の形態に係るオブジェクト指向モデル生成装置の機能構成を示すブロック図である。
【図２】図２は、本発明の一実施の形態に係るオブジェクト指向モデル生成装置の基準設計情報作成部が作成するクラス図の構成例（第１例）を示す図である。
【図３】図３は、本発明の一実施の形態に係るオブジェクト指向モデル生成装置の基準設計情報作成部が作成するクラス図の構成例（第２例）を示す図である。
【図４】図４は、本発明の一実施の形態に係るオブジェクト指向モデル生成装置の基準設計情報作成部が作成するクラス図の構成例（第３例）を示す図である。
【図５】図５は、本発明の一実施の形態に係るオブジェクト指向モデル生成装置の基準設計情報作成部が作成するクラス図の構成例（第４例）を示す図である。
【図６】図６は、本発明の一実施の形態に係るオブジェクト指向モデル生成装置の基準設計情報作成部が作成するステートマシン図の構成例（第１例）を示す図である。
【図７】図７は、本発明の一実施の形態に係るオブジェクト指向モデル生成装置の基準設計情報作成部が作成するステートマシン図の構成例（第２例）を示す図である。
【図８】図８は、本発明の一実施の形態に係るオブジェクト指向モデル生成装置の基準設計情報作成部が作成するシーケンス図の構成例を示す図である。
【図９】図９は、本発明の一実施の形態に係るオブジェクト指向モデル生成装置の差分設計情報作成部が作成する差分設計情報の構成例を示す図である。
【図１０】図１０は、本発明の一実施の形態に係るオブジェクト指向モデル生成装置の設計情報生成部が生成するクラス図の構成例（第１例）を示す図である。
【図１１】図１１は、本発明の一実施の形態に係るオブジェクト指向モデル生成装置の設計情報生成部が生成するクラス図の構成例（第２例）を示す図である。
【図１２】図１２は、本発明の一実施の形態に係るオブジェクト指向モデル生成装置の設計情報生成部が生成するステートマシン図の構成例を示す図である。
【図１３】図１３は、本発明の一実施の形態に係るオブジェクト指向モデル生成装置の設計情報生成部が生成するシーケンス図の構成例を示す図である。
【図１４】図１４は、本発明の一実施の形態に係るオブジェクト指向モデル生成装置の差分設計情報作成部が作成する差分設計情報の別な構成例を示す図である。
【発明を実施するための形態】
【００１７】
以下、添付図面を参照して、本発明を実施するための形態（以下、「実施の形態」という）を説明する。
【００１８】
図１は、本発明の一実施の形態に係るオブジェクト指向モデル生成装置の機能構成を示すブロック図である。同図に示すオブジェクト指向モデル生成装置１（以下、モデル生成装置という）は、ＵＭＬを用いて開発対象のシステムのオブジェクト指向モデリングを行う際にそのシステムの設計情報を自動的に生成する装置である。モデル生成装置１は、キーボード、マウス、タッチパネル等のインタフェースを用いて実現される入力部２と、液晶または有機ＥＬ等からなる表示パネルおよび音声出力用のスピーカを有し、各種情報を出力する出力部３と、モデル生成装置１の動作を統括して制御する制御部４と、各種情報を記憶する記憶部５と、を備える。
【００１９】
制御部４は、入力部２から入力される情報に基づいて開発対象のシステムの基準となる仕様を与える基準設計情報を作成する基準設計情報作成部４１と、入力部２から入力される情報に基づいて基準設計情報が含む仕様との差分に相当する仕様を与える差分設計情報を作成する差分設計情報作成部４２と、基準設計情報作成部４１が作成した基準設計情報および差分設計情報作成部４２が作成した差分設計情報を用いて開発対象のシステムの設計情報を自動的に生成する設計情報生成部４３と、を有する。
【００２０】
基準設計情報に含まれ、システムの基準となる仕様は、複数のシステムに対して共通に適用可能な仕様である。このような仕様には、例えばシステムの構造および振る舞いが含まれる。これに対し、差分設計情報には、システムの仕様のうち、基準となる仕様との差分に相当するシステム固有の仕様が含まれる。
【００２１】
基準設計情報作成部４１および差分設計情報作成部４２は、基準設計情報および差分設計情報をそれぞれ作成するためのエディタ等のソフトウェアである。ユーザは、出力部３が表示する画面を見ながら、入力部２から基準設計情報および差分設計情報に必要なコマンド等の情報を入力することによって各設計情報を作成する。なお、基準設計情報作成部４１および差分設計情報作成部４２を同一のソフトウェアによって実現することも可能である。
【００２２】
基準設計情報と差分設計情報は、互いに異なる手法に基づいて作成される。本実施の形態において、基準設計情報はＵＭＬにしたがって記載される一方、差分設計情報はドメイン特化言語（ＤＳＬ：Domain  Specific  Language）に基づいて記載される。
【００２３】
設計情報生成部４３は、基準設計情報および差分設計情報からＵＭＬモデル図を含む設計情報を自動的に生成する。
【００２４】
制御部４は、ＣＰＵ（Central  Processing  Unit）等を用いて実現され、モデル生成装置１の各構成部位とバスラインを介して接続されている。制御部４は、記憶部５が記憶、格納する各種情報を記憶部５から読み出すことにより、本実施の形態に係るオブジェクト指向モデル生成方法に関連した演算処理を実行する。
【００２５】
記憶部５は、基準設計情報作成部４１が作成した基準設計情報を記憶する基準設計情報記憶部５１と、差分設計情報作成部４２が作成した差分設計情報を記憶する差分設計情報記憶部５２と、設計情報生成部４３が生成した設計情報を記憶する設計情報記憶部５３とを有する。基準設計情報、差分設計情報および設計情報の具体的な構成例については後述する。
【００２６】
記憶部５は、本実施の形態に係るオブジェクト指向モデル生成プログラムや所定のＯＳ（Operating  System）を起動するプログラム等が予め記憶されたＲＯＭ（Read  Only  Memory）、および各処理の演算パラメータやデータ等を記憶するＲＡＭ（Random  Access  Memory）等を用いて実現される。
【００２７】
以上の構成を有するモデル生成装置１は、１つのコンピュータを用いて実現してもよいし、複数のコンピュータを用いて実現してもよい。後者の場合には、通信ネットワークを介してデータの送受信を行いながら、互いに連携して処理を行うようにすることも可能である。
【００２８】
次に、基準設計情報記憶部５１が記憶する基準設計情報を具体的に説明する。基準設計情報記憶部５１は、基準設計情報の少なくとも一部として、ＵＭＬモデル図を記憶する。本実施の形態では、構造図としてクラス図を有するとともに、振る舞い図としてステートマシン図およびシーケンス図を有するオブジェクト指向モデルを生成する場合を例示するが、これが一例に過ぎないことはいうまでもない。
【００２９】
図２〜図５は、基準設計情報作成部４１が作成し、基準設計情報記憶部５１が記憶しているクラス図の構成例を示す図である。図２〜図５にそれぞれ示すクラス図Ｃ１〜Ｃ４は、クラス名（最上段）、属性（中段）、および操作（最下段）を有する。このうち、操作は、ステレオタイプなどを使用して記載され、処理関数とイベントに分類される。以下、個々のクラス図について具体的に説明する。
【００３０】
図２に示すクラス図Ｃ１は、クラス名が“Button”であるクラスのクラス図であり、属性を有していない。また、クラス名が“Button”であるクラスは、操作として返り値の型が“void”であるイベント“PUSH”を有する一方、処理関数を有しない。以下、クラス名が“Ａ”であるクラスのことを、クラス“Ａ”という。
【００３１】
図３に示すクラス図Ｃ２は、クラス“ButtonOff”のクラス図である。また、図４に示すクラス図Ｃ３は、クラス“ButtonOn”のクラス図である。クラス“ButtonOff”および“ButtonOn”は、クラス“Button”のサブクラスであり、ともに属性および操作を有しない。
【００３２】
図５に示すクラス図Ｃ４は、クラス“Light”のクラス図である。クラス“Light”は、属性を有しない。また、クラス“Light”は、操作として、項目<<Action>>において、返り値の型が“void”である処理関数“Off”および“On”を有するとともに、項目<<Event>>において、返り値の型が“void”であるイベント“OFF”および“ON”を有する。
【００３３】
図６および図７は、基準設計情報作成部４１が作成するステートマシン図の構成例を示す図である。図６および図７に示すステートマシン図ＳＴ１およびＳＴ２は、開始（図中に黒丸で表示）、状態（図中に矩形で表示）、および遷移（図中に矢印で表示）という要素をそれぞれ有する。以下、個々のステートマシン図について具体的に説明する。
【００３４】
図６に示すステートマシン図ＳＴ１は、クラス“Button”のステートマシン図であり、開始からの遷移によって表現される状態（初期状態）“WAIT”を有する。また、ステートマシン図ＳＴ１は、状態“WAIT”でイベント“PUSH”を受け取ると、何の処理も実行せず、状態が遷移しないことを表現している。
【００３５】
図７に示すステートマシン図ＳＴ２は、クラス“Light”のステートマシン図であり、初期状態“OFF”および状態“ON”を有する。ステートマシン図ＳＴ２は、状態“OFF”でイベント“ON”を受け取った場合、処理関数“On”を実行し、状態“ON”へ遷移することを表現している。また、ステートマシン図ＳＴ２は、状態“ON”でイベント“OFF”を受け取った場合、処理関数“Off”を実行し、状態“OFF”へ遷移することを表現している。
【００３６】
図８は、基準設計情報作成部４１が作成するシーケンス図の構成例を示す図である。同図に示すシーケンス図ＳＱ１は、メッセージ終了点（図中に黒丸で表示）、ライフライン（図中に矩形とその下に延びる破線で表示）、およびメッセージ（図中に矢印とその上にメッセージ名で表示）を要素として有する。シーケンス図ＳＱ１は、２つのシーケンスからなる。このうち、図中上側に記載されたシーケンスは、クラス“ButtonOff”が状態“WAIT”でイベント“PUSH”を受け取ると、クラス“Light”に対してイベント“OFF”を送信することを表現している。また、図中下側に記載されたシーケンスは、クラス“ButtonOn”が状態“WAIT”でイベント“PUSH”を受け取ると、クラス“Light”に対してイベント“ON”を送信することを表現している。
【００３７】
次に、差分設計情報作成部４２が作成する差分設計情報について説明する。図９は、差分設計情報の一構成例を示す図である。同図に示す差分設計情報Ｄ１は、ＤＳＬ仕様に則って作成したコード（以下、ＤＳＬコードという）からなる。なお、図９において、「１｜」、「２｜」等の記載は、行数を明示するための記載に過ぎず、プログラムコードとは無関係である。図９に示す差分設計情報Ｄ１において、コードaddClass、addAction、addEvent、addState、addTransition、およびaddSequenceは、ＤＳＬにしたがって定義される。以下、各コードの具体的な内容を説明する。
【００３８】
１行目のaddClassは、クラス“Button”（第２引数）のサブクラスとして、クラス“ButtonBlink”（第１引数）を追加することを表現している。
２行目のaddActionは、クラス“Light”（第３引数）に対して、返り値の型が“void”（第２引数）である処理関数“Blink”（第１引数）を追加することを表現している。
３行目のaddEventは、クラス“Light”（第３引数）に対して、返り値の型が“void”（第２引数）であるイベント“BLINK”（第１引数）を追加することを表現している。
４行目のaddStateは、クラス“Light”（第２引数）のステートマシン図に対して、状態“BLINK”（第１引数）を追加することを表現している。
５行目のaddTransitionは、クラス“Light”（第１引数）のステートマシン図に対して、状態“OFF”（第２引数）でイベント“BLINK”（第４引数）を受け取った場合に、処理関数“Blink”（第５引数）を実行し、状態“BLINK”（第３引数）へ遷移することを表現している。
６行目のaddTransitionは、クラス“Light”（第１引数）のステートマシン図に対して、状態“BLINK”（第２引数）でイベント“OFF”（第４引数）を受け取った場合に処理関数“Off”（第５引数）を実行し、状態“OFF”（第３引数）へ遷移することを表現している。
７行目のaddSequenceは、シーケンス図に対して、クラス“ButtonBlink”（第１引数）が状態“WAIT”（第３引数）でイベント“PUSH”（第４引数）を受け取った場合、クラス“Light”（第２引数）に対してイベント“BLINK”（第５引数）を送信するシーケンスを追加することを表現している。
【００３９】
次に、設計情報生成部４３が自動的に生成する設計情報について説明する。図１０および図１１は、設計情報生成部４３が生成するクラス図の構成例を示す図である。以下、クラス図の構成を具体的に説明する。
【００４０】
図１０に示すクラス図Ｃ５は、クラス“ButtonBlink”のクラス図である。クラス“ButtonBlink”は、クラス“Button”のサブクラスであり、属性および操作を有しない。このクラス図Ｃ５は、差分設計情報Ｄ１の１行目に基づいて新たに生成されるクラス図である。
【００４１】
図１１に示すクラス図Ｃ６は、図５に示すクラス図Ｃ４に対して、操作の項目<<Action>>において、返り値の型が“void”である処理関数“Blink”およびイベント“BLINK”を追加したものである。このクラス図Ｃ６は、差分設計情報Ｄ１の２〜３行目に基づいて生成される。
【００４２】
図１２は、設計情報生成部４３が生成するステートマシン図の構成例を示す図である。同図に示すステートマシン図ＳＴ３は、図７に示すステートマシン図ＳＴ２に対して、状態“BLINK”が追加されている。また、ステートマシン図ＳＴ３は、ステートマシン図ＳＴ２に対して、状態“OFF”でイベント“BLINK”を受け取った場合に、処理関数“Blink”を実行して状態“BLINK”へ遷移することが追加されている。さらに、ステートマシン図ＳＴ３は、ステートマシン図ＳＴ２に対して、状態“BLINK”でイベント“OFF”を受け取った場合に処理関数“Off”を実行して状態“OFF”へ遷移することが追加されている。このステートマシン図ＳＴ３は、差分設計情報Ｄ１の４〜６行目に基づいて生成される。
【００４３】
図１３は、設計情報生成部４３が生成するシーケンス図の構成例を示す図である。同図に示すシーケンス図ＳＱ２は、図８に示すシーケンス図ＳＱ１に対して、クラス“ButtonBlink”が状態“WAIT”でイベント“PUSH”を受け取った場合、クラス“Light”に対してイベント“BLINK”を送信するシーケンスが追加されている。このシーケンス図ＳＱ２は、差分設計情報Ｄ１の７行目に基づいて生成される。
【００４４】
設計情報生成部４３は、生成した設計情報を設計情報記憶部５３に書き込んで記憶させる。
【００４５】
以上説明した本発明の一実施の形態によれば、ＵＭＬモデル図を含む基準設計情報およびＤＳＬコードで表現された差分設計情報を用いてＵＭＬモデル図を含む設計情報を自動的に生成するため、開発対象のシステム固有の仕様を表現する際に、複数のシステム間で共通する仕様とは異なる手法で表現し、かつそれらの仕様を用いてシステムの仕様を容易に定めることができる。
【００４６】
また、本実施の形態によれば、複数のシステム間で共通の仕様を与える基準設計情報と、基準設計情報には含まれないシステム固有の仕様を与える差分設計情報とを用いてシステムの設計情報を自動的に作成するため、システム間の構成管理が容易となる。
【００４７】
また、本実施の形態によれば、設計情報のＵＭＬモデル図を用いてユーザによるシステムの開発を支援することができ、ユーザの負担が大幅に軽減される。
【００４８】
また、本実施の形態によれば、差分設計情報をＤＳＬコードで表現することにより、プログラムの関数化を利用することができ、差分設計情報の作成が容易となる。
【００４９】
ここまで、本発明を実施するための形態を説明してきたが、本発明は、上述した一実施の形態によってのみ限定されるべきものではない。
【００５０】
図１４は、差分設計情報の別な構成例を示す図である。同図に示す差分設計情報Ｄ２は、上述した差分設計情報Ｄ１と同様にＤＳＬコードで表現される。以下、差分設計情報Ｄ２の各コードの具体的な内容を説明する。
【００５１】
１行目、３行目および５行目は、上述した差分設計情報Ｄ１の１行目、４行目および７行目とそれぞれ同じである。
【００５２】
２行目のaddMethodは、クラス“Light”（第５引数）のクラスに対し、返り値の型が“void”（第２引数）である処理関数“Blink”（第１引数）を追加するとともに、返り値の型が“void”（第４引数）であるイベント“BLINK”（第３引数）を追加することを表現している。なお、addMethodにおいて、例えばクラス“Class”に返り値の型がともに“void”である２つの処理関数“Act1”および“Act2”を追加する一方、イベントを追加しない場合、
addMethod(｛“Act1”,“Act2”｝,｛“void”,“void”｝,｛｝,｛｝,“Class”)
と記載される。
【００５３】
４行目のaddTransitionは、クラス“Light”（第１引数）のステートマシン図に対して、遷移前の状態“OFF”（第２引数）でイベント“BLINK”（第４引数）を受け取ると、処理関数“Blink”（第５引数）を実行し、遷移後の状態“BLINK”（第３引数）への遷移を追加するとともに、遷移前の状態“BLINK”（第２引数）でイベント“OFF”（第４引数）を受け取ると、処理関数“Off”（第５引数）を実行し、遷移後の状態“OFF”（第３引数）への遷移を追加する。
【００５４】
以上説明した内容を有する差分設計情報Ｄ２は、差分設計情報Ｄ１と同じ内容を差分設計情報Ｄ１よりも短い行数で記載したものである。したがって、図２〜図８に示すＵＭＬモデル図を含む基準設計情報と差分設計情報Ｄ２とを用いて自動的に生成される設計情報は、上述したものと同じである。このように、差分設計情報をＤＳＬコードで記載することにより、差分設計情報の設計の自由度が大きくなる。
【００５５】
また、本発明に係るモデル生成装置が、通信ネットワークを介して基準設計情報および差分設計情報をダウンロードして記憶部に格納するようにしてもよいし、記録媒体から基準設計情報および差分設計情報を読み出して記憶部に格納するようにしてもよい。
【００５６】
また、本発明において、オブジェクト指向モデル生成プログラムをハードディスク、フラッシュメモリ、ＣＤ−ＲＯＭ、ＤＶＤ−ＲＯＭ、フレキシブルディスク等のコンピュータ読み取り可能な記録媒体に記録して、広く流通させることも可能である。
【００５７】
また、本発明は、Ｃ＋＋言語、Ｊａｖａ（登録商標）等のオブジェクト指向言語を用いてプログラムコードを生成する場合にも適用可能である。
【００５８】
なお、本明細書で使用したＵＭＬモデル図、状態、イベント、処理関数、クラス、ＤＳＬコード等における具体的な名称は、あくまでも例示用として設定したものに過ぎない。
【符号の説明】
【００５９】
１  オブジェクト指向モデル生成装置
２  入力部
３  出力部
４  制御部
５  記憶部
４１  基準設計情報作成部
４２  差分設計情報作成部
４３  設計情報生成部
５１  基準設計情報記憶部
５２  差分設計情報記憶部
５３  設計情報記憶部
Ｃ１、Ｃ２、Ｃ３、Ｃ４、Ｃ５、Ｃ６  クラス図
Ｄ１、Ｄ２  差分設計情報
ＳＴ１、ＳＴ２、ＳＴ３  ステートマシン図
ＳＱ１、ＳＱ２  シーケンス図
【図１】
2016197291.tif 000003
【図２】
2016197291.tif 000004
【図３】
2016197291.tif 000005
【図４】
2016197291.tif 000006
【図５】
2016197291.tif 000007
【図６】
2016197291.tif 000008
【図７】
2016197291.tif 000009
【図８】
2016197291.tif 000010
【図９】
2016197291.tif 000011
【図１０】
2016197291.tif 000012
【図１１】
2016197291.tif 000013
【図１２】
2016197291.tif 000014
【図１３】
2016197291.tif 000015
【図１４】
2016197291.tif 000016